(57)【要約】【課題】小型かつ安価で、場所を採らず、専門技術や熟練などなしに用途に応じた広範囲な温度の熱媒体が簡単に得られるようにする。【解決手段】ボイラ室２内の下部から上部に亘って配管されて通電により発熱し、ボイラ室２外から通される熱媒体３を加熱してボイラ室２外へ排出するのに併せ、ボイラ室２内の水４をこの水への浸漬域２ａで加熱しながらこの加熱により水面より上の非浸漬域２ｂに発生した水蒸気７を加熱して前記熱媒体３中に導入し混合させる電熱管５と、ボイラ室２内を所定の水位Ｈに保つように給水する給水手段６と、を備えたものとして、上記の目的を達成する。【選択図】図１
2008116092.tif 000002
【特許請求の範囲】
【請求項１】
ボイラ室内の下部から上部に亘って配管されて通電により発熱し、ボイラ室外から通される熱媒体を加熱してボイラ室外へ排出するのに併せ、ボイラ室内の水をこの水への浸漬域で加熱しながらこの加熱により水面より上の非浸漬域に発生した水蒸気を加熱して前記熱媒体中に導入し混合させる電熱管と、ボイラ室内を所定の水位に保つように給水する給水手段と、を備えたことを特徴とする電熱ボイラ装置。
【請求項２】
ボイラ室内の下部から上部に亘って配管されて通電により発熱し、ボイラ室外から通される熱媒体を加熱してボイラ室外へ排出するのに併せ、ボイラ室内の水をこの水への浸漬域で加熱しながらこの加熱により水面より上の非浸漬域に発生した水蒸気を加熱し前記熱媒体中に導入し混合する電熱管と、ボイラ室内を所定の水位に保つように給水する給水手段と、を備え、電熱管は、熱媒体を通す上流側から下流側に向けボイラ室の下部側から上部側に屈曲して配管されたことを特徴とする電熱ボイラ装置。
【請求項３】
電熱管の上流側は、ボイラ室内での最下部位置からボイラ室の上部での熱媒体供給配管との接続部まで立ち上がる立ち上がり部を有し、この立ち上がり部の最上部近傍に水蒸気の導入口を持っている請求項１、２のいずれか１項に記載の電熱ボイラ装置。
【請求項４】
水蒸気の導入口は、電熱管の拡径部に設けられている請求項３に記載の電熱ボイラ装置。
【請求項５】
電熱管は、一次側および二次側が絶縁された絶縁電源から給電される請求項１〜４のいずれか１項に記載の電熱ボイラ装置。
【請求項６】
電熱管は、三相電源から給電される３つのブロックにて設けられる請求項１〜５のいずれか１項に記載の電熱ボイラ装置。
【請求項７】
給水手段は、所定の水位を種々に設定される請求項１〜６のいずれか１項に記載の電熱ボイラ装置。
【発明の詳細な説明】
【技術分野】
【０００１】
本発明は、電熱による加熱にて幅広い温度範囲の例えば過熱水蒸気である熱媒体を生成して、各種の用途に供する電熱ボイラ装置に関するものである。
【背景技術】
【０００２】
過熱水蒸気を炊飯、炊飯以外の加熱調理や加熱処理に用いることが既に知られている（例えば、特許文献１、２参照）。特許文献１、２は処理室内に過熱水蒸気を供給して処理対象に対し、炊飯、炊飯以外の加熱、乾燥、冷却、洗浄、焼結、解凍、除湿、殺菌、防錆、焼き鈍しのいずれかが行える技術を開示している。
【特許文献１】特開２００２−３８０８３０号公報
【特許文献２】ＷＯ２００４／００５７９８号公報
【発明の開示】
【発明が解決しようとする課題】
【０００３】
しかし、特許文献１に記載のものは、水蒸気を発生させるボイラに、このボイラから出た水蒸気を加熱パイプに供給して加熱パイプまわりに配した加熱コイルによって加熱するのと同時に、加熱パイプ内の蓄熱材の蓄熱作用によって加熱効率を高める過熱水蒸気発生装置を組み合わせて多量の過熱水蒸気が得られるようにするもので、過熱装置発生装置は水蒸気を通す加熱パイプ内に蓄熱材を充填しているものの、加熱パイプ外まわりからの加熱コイルによる間接加熱でしかなく加熱効率はさほど高くならず、得られる加熱水蒸気の量に比して装置の全体が大掛かりで高価なものとなる上に、占有スペースが大きく小規模利用にはまだ向かず用途の広さに対応しきれない。
【０００４】
特許文献２に記載のものは、ボイラでのガスバーナによる間接加熱で加熱して水蒸気とした後、この水蒸気を過熱水蒸気発生装置に通してヒータで間接加熱により過熱水蒸気とし、生成した過熱水蒸気のうち微細な水蒸気粒子のみ気水分離室を通過させてヒータを配した二次ボイラ室に導いてヒータとの接触により再加熱してから処理室に送り込むもので、ボイラと過熱水蒸気発生装置との２段の加熱で過熱水蒸気を発生させているが、この２段の加熱が共に間接加熱による加熱効率の低いもので、特許文献１に記載のものと同様に得られる水蒸気量に比して装置が大掛かりになるし、生成した過熱水蒸気を気水分離室に通して分離した微細な水蒸気粒子のみをヒータで再加熱して処理室に供給することで過熱度を上げられるようにしているが、２段階加熱後の過熱水蒸気の一部しか処理室に供給できず、過熱水蒸気の微細でない水蒸気粒子は水として回収されてボイラに戻されるので、所定温度の過熱水蒸気を供給する量は半減する。これを必要量まで高めるには装置のさらなる大掛かり化、コスト上昇の原因になることは否めない。
【０００５】
本発明の目的は、小型かつ安価で、場所を採らず、専門技術や熟練などなしに用途に応じた広範囲な温度の熱媒体が簡単に得られる電熱ボイラ装置を提供することにある。
【課題を解決するための手段】
【０００６】
上記の目的を達成するために、本発明の電熱ボイラ装置は、ボイラ室内の下部から上部に亘って配管されて通電により発熱し、ボイラ室外から通される熱媒体を加熱してボイラ室外へ排出するのに併せ、ボイラ室内の水をこの水への浸漬域で加熱しながらこの加熱により水面より上の非浸漬域に発生した水蒸気を加熱して前記熱媒体中に導入し混合させる電熱管と、ボイラ室内を所定の水位に保つように給水する給水手段と、を備えたことを１つの特徴としている。
【０００７】
このような構成の電熱ボイラ装置では、ボイラ室という限られた空間にて電熱管が発熱し、通される熱媒体を狭い通路に拘束してまわりから直接熱伝導加熱する高効率な内部加熱作用に加え、さらに、ボイラ室内で所定の水位を保つ水をもその浸漬域で直接熱伝導加熱する外部一次加熱作用と、この外部一次加熱作用にてボイラ室内の水面より上の非浸漬域に発生する水蒸気を直接熱伝導加熱および輻射熱加熱する外部二次加熱作用とを発揮し、この外部二次加熱した水蒸気を電熱管内に水蒸気圧またはおよび電熱管に通される熱媒体の流れによる吸引作用により導入して混合し前記内部加熱を受けるようにするので、１つの電熱管を多重に利用して高温の熱媒体をも効率よく生成し、しかも、ボイラ室内で水蒸気を前加熱する温度に見合った多少の昇圧は見ながらも最終的には電熱管内で昇圧なく高温の過熱水蒸気などとして排出し各種用途に供することができ、排出する過熱水蒸気の温度に比し内部加熱作用、外部二次加熱作用は、ボイラ室内の水位に逆比例して高くなり、設定水位の高低だけで生成する熱媒体の温度の高低を決定することができる。
【０００８】
また、本発明の電熱ボイラ装置は、ボイラ室内の下部から上部に亘って配管されて通電により発熱し、ボイラ室外から通される熱媒体を加熱してボイラ室外へ排出するのに併せ、ボイラ室内の水をこの水への浸漬域で加熱しながらこの加熱により水面より上の非浸漬域に発生した水蒸気を加熱し前記熱媒体中に導入し混合する電熱管と、ボイラ室内を所定の水位に保つように給水する給水手段と、を備え、電熱管は、熱媒体を通す上流側から下流側に向けボイラ室の下部側から上部側に屈曲して配管されたことを別の特徴としている。
【０００９】
このような構成の電熱ボイラ装置では、１つの特徴の場合に加え、さらに、電熱管が屈曲してボイラ室の下部から上部に配管されることで、ボイラ室内での内部加熱、外部一次加熱、外部二次加熱を行なう配管の長さおよび密度が増大して加熱効率、加熱効果が高くなる。しかも、電熱管の熱媒体を通す上流側が下部で下流側が上部であることにより下流側がボイラ室での水に熱を奪われない非浸漬位置にて、そこに発生し充満する水蒸気および上流側での内部加熱を経て昇温しながら下流側での内部加熱に向かい排出される熱媒体に対し浸漬域に位置する上流側よりも高温にて加熱することができる。
【００１０】
電熱管の上流側は、ボイラ室内での最下部位置からボイラ室の上部での熱媒体供給配管との接続部まで立ち上がる立ち上がり部を有し、この立ち上がり部の最上部近傍に水蒸気の導入口を持っている、さらなる構成では、
ボイラ室内の水面上で発生し電熱管の非浸漬域部分によって外部二次加熱を受けながらボイラ室の上部に達して外部二次加熱を終えた水蒸気を電熱管に導入して熱媒体に混入させられるし、その導入位置が電熱管の最上流部近傍であることにより、導入した水蒸気はそれが混合される熱媒体と電熱管のほぼ全長域で内部加熱して排出されるので、電熱管による水蒸気の外部二次加熱および内部加熱を最大限活かせる。
【００１１】
水蒸気の導入口は、電熱管の拡径部に設けられている、さらなる構成では、
電熱管への水蒸気の導入は局部的な流量の増大、増圧を招くところ、拡径にてそれら流量増大、増圧を軽減または回避する拡径部に導入口を設けて水蒸気を導入することで、水蒸気の導入がその圧力またはおよび熱媒体の流れによる吸引によるのに、無理無く確実に導入することができる。
【００１２】
電熱管は、一次側および二次側が絶縁された絶縁電源から給電される、さらなる構成では、
電熱管が絶縁電源の一次側を含め、絶縁電源の二次側から絶縁されるので、装置側での漏電が防止しやすくなる。
【００１３】
電熱管は、三相電源から給電される３つのブロックにて設けられる、さらなる構成では、
電熱管は、三相電源によって３つのブロックに分けた給電を受けられ、その配置位置に応じて給電条件を変えられる利点がある。
【００１４】
給水手段は、所定の水位を種々に設定される、さらなる構成では、
給水手段により種々に設定した水位を保ってボイラ室内に給水することで、電熱管のボイラ室内での浸漬域と非浸漬域の比率を種々に違えて、電熱管から排出する熱媒体の温度を種々に設定できる。
【００１５】
本発明のそれ以上の目的および特徴は、以下の詳細な説明および図面の記載によって明らかになる。本発明の各特徴は、それ自体単独で、あるいは可能な限り種々な組合せで複合して採用することができる。
【発明の効果】
【００１６】
本発明の電熱ボイラ装置の１つの特徴によれば、ボイラ室内にて電熱管を通電により発熱させて、通される熱媒体に対する狭い通路への拘束下での直接熱伝導による高効率な内部加熱、ボイラ室内の水に対する浸漬域での効率のよい直接熱伝導加熱による外部一次加熱、加熱される水からその水面上の非浸漬域に発生する水蒸気に対する直接熱伝導加熱および輻射加熱による外部二次加熱、外部二次加熱した水蒸気を電熱管に通して加熱している熱媒体中に導入、混合させてする前記高効率な内部加熱に供する、という多重な加熱を簡単でかさ張らない低コストな装置によって実現し、熱媒体が高温の過熱水蒸気であっても圧力容器扱いとならない小さな装置によって効率よく十分な量を連続生成し各種用途に供することができるし、ボイラ室内の水位によって生成する熱媒体の温度を簡単に設定できる。
【発明を実施するための最良の形態】
【００１７】
以下、本発明の電熱ボイラ装置の実施の形態につき、図１を参照しながら説明し、本発明の理解に供する。
【００１８】
図１に示すように本実施の形態の電熱ボイラ装置１は、ボイラ室２内の下部から上部に亘って配管されて通電により発熱し、ボイラ室２外から通される熱媒体３を加熱してボイラ室２外へ排出するのに併せ、ボイラ室２内の水４をこの水４への浸漬域２ａで加熱しながらこの加熱により水面より上の非浸漬域２ｂに発生した水蒸気７を加熱して前記熱媒体３中に導入し熱媒体３に混合させる電熱管５と、ボイラ室２内を所定の水位Ｈに保つように給水する給水手段６とを備えている。従って、電熱管５はボイラ室２という限られた空間にて発熱することになる。これにより発熱する電熱管５は、通される水などの熱媒体３を狭い通路に拘束してまわりから直接熱伝導加熱する高効率な内部加熱作用を及ぼす。併せ、電熱管５は、ボイラ室２内では給水手段６からの給水によって所定の水位を保つ水４をその浸漬域２ａの範囲で直接熱伝導加熱する外部一次加熱作用をなし、かつ、この外部一次加熱作用にてボイラ室２内の水面より上の非浸漬域に発生する水蒸気７を直接熱伝導加熱および輻射熱加熱する外部二次加熱作用とをなす。さらに、電熱管５は、この外部二次加熱した水蒸気７を、水蒸気７による非浸漬域２ｂでの内圧またはおよび電熱管５に通される熱媒体３の流れによる吸引作用により、ボイラ室２の非浸漬域２ｂに開口する導入口５ａを通じ導入して、熱媒体３に混合した最終的な熱媒体３として前記内部加熱を行い高温の熱媒体３として排出する。
【００１９】
この結果、１つの電熱管５により多重に加熱するだけの簡単でかさ張らない低コストな装置によって、排出する熱媒体３が高温の過熱水蒸気とするにしても、ボイラ室２内では水蒸気７を電熱管５に導入されて内部加熱されてさらに高温度の過熱水蒸気となる準備段階として前加熱する温度に見合った多少の昇圧は見ながらも圧力容器扱いとならない小さな装置によって効率よく十分な量を連続生成することができるし、電熱管５を通して排出する最終的な熱媒体３は高温の過熱水蒸気であっても低圧で生成して各種用途に供することができる。
【００２０】
また、ボイラ室２内の水４の水位が低いほど電熱管５の水４に奪われる熱が少なく、かつ外部二次加熱域となる非浸漬域２ｂが広域になるので、電熱管５による内部加熱作用、外部二次加熱作用は水位に逆比例して高くなる。これによって、給水手段６によって給水する設定水位の高低だけで生成する熱媒体の温度の高低を決定することができる。
【００２１】
さらに、電熱管５は図１に示すように、熱媒体３を通す上流側から下流側に向けボイラ室２の下部側から上部側に屈曲して、具体的にはスパイラルに配管されている。このように電熱管５が屈曲してボイラ室２の下部から上部に配管されることで、ボイラ室２内での内部加熱、外部一次加熱、外部二次加熱を行なう配管の長さおよび密度が増大して加熱効率、加熱効果が高くなる。従って、熱媒体３の高温化と生成量の増大に有利となる。また、電熱管５の熱媒体３を通す上流側が下部で下流側が上部であることにより下流側がボイラ室２での水４に熱を奪われない非浸漬位置にて、そこに発生し充満する水蒸気７および上流側での内部加熱を経て昇温しながら下流側での内部加熱に向かい排出される熱媒体３に対し浸漬域２ａに位置する上流側よりも高温にて加熱することができる。
【００２２】
また、電熱管５の上流側は、ボイラ室２内での最下部位置からボイラ室２の上部での熱媒体３の供給配管８との接続部まで立ち上がる立ち上がり部５ｂを有し、この立ち上がり部５ｂの最上部近傍に水蒸気の導入口５ａを持っている。これにより、ボイラ室２内の水面上で発生し電熱管５の非浸漬域部分によって外部二次加熱を受けながらボイラ室２の上部に達して外部二次加熱を終えた水蒸気７を電熱管５に導入して熱媒体３に混入させられるし、その導入位置が電熱管５の最上流部近傍であることにより、導入した水蒸気７はそれが混合される熱媒体３と電熱管５のほぼ全長域で内部加熱して排出されるので、電熱管５による水蒸気７の外部二次加熱および内部加熱を最大限活かせるので、生成する熱媒体３を高温の過熱水蒸気とするのに好適である。しかも、電熱管５の水蒸気７の導入口５ａは、電熱管５の拡径部５ｃに設けられている。このようにすると、電熱管５への水蒸気７の導入は局部的な流量の増大、増圧を招くところ、拡径にてそれら流量増大、増圧を軽減または回避する拡径部５ｃに導入口５ａを設けて水蒸気７を導入することで、水蒸気７の導入がその圧力またはおよび熱媒体３の流れによる吸引によるのに、無理無く確実に導入することができる。
【００２３】
一方、水４内に通電する電熱管５を浸漬する関係から、ステンレス製として耐食性を付与したボイラ室２の内面は絶縁材１１で覆い、熱効率上断熱材を兼ねるようにしている。これにより、不用意な漏電や放電は解消し、電熱管５のボイラ室２を境とするボイラ室２外部との接続も絶縁接続部１２、１３を介して行い、漏電などが万一にも生じないようにしている。また、電熱管５に通電する電源１４はその一次側１４ａおよび二次側１４ｂの双方を互いに絶縁した絶縁電源を採用し、その一次側１４ａおよび二次側１４ｂの双方を共にアース１５、１６に接続して電気的安全を図っている。
【００２４】
給水手段６は、図１に示すようにボイラ室２内の水位を検出する水位計２１からの水位情報に基づき給水管２０途中の電磁弁２２をマイクロコンピュータを内蔵するなどした制御装置２３により制御して、操作パネル２４にて設定されている水位Ｈを保つように制御するようにしてあり、水位Ｈの設定によって電熱管５のボイラ室２内での浸漬域２ａ部分と非浸漬域２ｂ部分との比率を種々に違えて、生成する熱媒体３の温度を自由に選択できるようにしている。もっとも、設定は生成する熱媒体の温度にて行い、設定温度に見合う水位を自動的に演算ないしは格納テーブルから読み出して所定水位Ｈを保つように制御することもでき、この場合、電熱管５に通す熱媒体３の種類による違いも加味して水位Ｈを自動設定することもできる。また、電熱管５に給電する電力量Ｗによっても生成する熱媒体３の温度を上げることができる。そこで、制御装置２３は設定水位Ｈとは別に、あるいはそれと共に、電源１４から電熱管５に給電する電力量Ｗをも調節できるようにするのが好適である。なお、供給配管８の途中には熱媒体３の逆噴射を防止する逆止弁１７を電磁弁２５と共に設け、電磁弁２５を制御装置２３により制御して熱媒体３の供給の開始、停止を含めた供給状態の制御も行うようにしてある。必要なら給水管２０にも同様な理由で逆止弁を設けることもできる。
【００２５】
なお、図示しないが、電熱管５は、三相電源から給電される３つのブロックにて設けることもでき、これによって、電熱管５は三相電源によって３つのブロックに分けた給電を受けられ、その縦方向あるいは平面方向での配置位置に応じて給電条件、従って加熱温度を変えられる利点がある。また、制御装置２３や操作パネル２４は多用途に対応した設定機能を付与することもできる。用途例としては、炊飯、炊飯以外の加熱料理、加熱処理を自動的に実行することができ、小規模な業務でのバックヤード調理器として好適であり、残存付着物の焼却、殺菌、消臭などもでき、異種の加熱調理や加熱処理間での影響を全く回避できる。飽和水蒸気から低圧で４００℃以上の過熱水蒸気までの熱媒体３を生成して、炊飯を始めとする澱粉のα化による糊化、蒸し、焼き、焦がし、焙煎、解凍、乾燥、焼却、殺菌、消臭の１つまたはそれらを異時に複合した加熱調理や加熱処理を行わせるものとすることができる。電熱管５に水蒸気を熱媒体３として供給すると、さらに高温の過熱水蒸気が低圧のままで得られる。
【００２６】
空気や窒素ガスなどは特に臭気の酸化分解を促進できる。従って、調理、処理対象に対する加熱調理、加熱処理に限られることはなく、調理室内各部に亘る加熱処理にて、乾燥、付着異物の焼却、殺菌、消臭といったことが短時間ででき、このような処理は容器や器具などにも適用できるし、場合により厨房での塵芥の消臭、殺菌を伴なう焼却もできる。従って、電熱管５にはメニューに従って水、空気、水蒸気を切り換え、または複合して供給できるようにするのが好適であり、それには、それらの供給系を個別に備え、それぞれの供給系を選択的に働かせる必要がある。また、水蒸気の供給系には別途飽和水蒸気を発生させる水蒸気発生手段を接続しておく必要がある。
【００２７】
以上のような電熱ボイラ装置１において、例えば、ステンレス製として耐食性を付与した電熱管５に１２．５Ａでの通電を行い、１０Ｋｇ／ｈｒの水を供給して水位Ｈをボイラ室２の高さの１／５程度の低水位としたとき、４００℃程度の過熱水蒸気の熱媒体３を１０Ｋｇ／ｈｒ程度生成することができる。つまり、給水量と過熱水蒸気の生成量とはほぼ等しくなる傾向を示し、電熱管５の内径や長さに余り依存しない。しかし、必要通水量によっては内径による通水抵抗の関係から通水圧力を高める必要が生じるので管径や長さを適当に選択すれよく、５Ｋｇ〜１０ｋｇ／ｈｒ程度の給水量、過熱水蒸気生成量であれば外径１７ｍｍ、内径１３ｍｍ程度、長さが２ｍ〜４ｍ程度のものとして通常の水道圧程度で十分に通水することができる。
【００２８】
ここで、電熱管５に通電するＡ値は電源１４の一次側１４ａへの印加電圧と比例しない。これは二次側１４ｂとの電圧バランス上のことで、二次側１４ｂで得られる通電Ａ値と電熱管５の抵抗とで通される電熱管５やボイラ室２内の蒸気に対する単位時間あたりの加熱度合が決まり、電熱管５の内外径や長さは過熱水蒸気を生成する温度や量に余り影響しないが、前記電気抵抗の変化分が影響し、抵抗調節に利用することはできる。給水量は電熱管５への通水量と、ボイラ室２への給水量との合計である。水位Ｈが高い程ボイラ室２内で発生する水蒸気７の量が増えて過熱水蒸気の生成量は増大するが、電熱管５による加熱度合が抑えられるので、生成する過熱水蒸気の温度は低下し、過熱水蒸気の温度の立ち上がりが長くなる。逆に水位Ｈが低い程ボイラ室２内で発生する水蒸気７の量が減少し、電熱管５による加熱度合が高くなるので、生成する過熱水蒸気の温度は高くなるが、その量は低下し、生成される過熱水蒸気の温度は高くなるが、過熱水蒸気量の立ち上がりが長くなる。このような関係は、生成開始時には水位Ｈを下げて温度の立ち上がりを早め、所定の過熱温度に達した後に水位Ｈを上げて過熱水蒸気の生成量を上げるようにすることができる。
【００２９】
電熱管５から生成される熱媒体３としての過熱水蒸気は、その温度にかかわらず大気圧であり、電熱管５に通す熱媒体３を飽和水蒸気とすれば６００℃程度、あるいはそれ以上の過熱水蒸気をも生成することができる。ボイラ室２内の圧力はそこで発生する水蒸気７の量と温度との関係や生成する過熱水蒸気の温度と相関性があり、２００℃程度の過熱水蒸気を生成する場合でもボイラ室２内の圧力は０．２ｈＰａ程度となった。
【００３０】
ここに、本実施の形態の電熱ボイラ装置１は同じ仕様のものにおいて、水または飽和水蒸気を熱媒体３として電熱管５に供給し、低温の飽和水蒸気から高温の過熱水蒸気まで幅広い温度範囲で生成することができ、これに対応するのに、上下が鏡板となった圧力容器対応のものとし、圧力弁３１、安全弁３２を装備しておくのが好適である。また、底部にはドレンパイプ３３を設けて開閉弁３４にて自由に開閉できるようにしておく。
【産業上の利用可能性】
【００３１】
本発明は食品やその他の加熱を行なう多用途に実用できる電熱ボイラ技術に関し、簡単かつ小型で安価な装置により幅広い温度幅の熱媒体を生成し供給できる。
【図面の簡単な説明】
【００３２】
【図１】本発明の、１つの実施の形態に係る電熱ボイラ装置の全体構成を示す断面図である。
【符号の説明】
【００３３】
１  電熱ボイラ装置
２  ボイラ室
２ａ  浸漬域
２ｂ  非浸漬域
３  熱媒体
４  水
５  電熱管
５ａ  導入口
５ｂ  立ち上がり部
５ｃ  拡径部
６  給水手段
７  水蒸気
８  供給配管
１４  電源
２１  水位計
２２  電磁弁
２３  制御装置
２４  操作パネル
Ｈ  水位
【図１】
2008116092.tif 000003